(57)【要約】【課題】撮影画像をプリントする際のメモリカードの消費を押さえたデジタルカメラを提供する。【解決手段】デジタルカメラにプリンタが接続された時、デジタルカメラはプリンタから特有情報を入力し、これに基づいて撮影画像データを処理したのちプリンタに出力する。この時、もとの撮影画像データはメモリカードには記録しないかあるいは記録するよう設定されていた場合にのみ記録する。特有情報とはアプリケーションプログラムで使用するキャラクタのサイズ、解像度、表示色数、撮影方向等である。【選択図】　　図４
2004032563.tif 000002
【特許請求の範囲】
【請求項１】
プリント画像データをプリントするプリント部と、前記プリント部の特有情報を記憶する特有情報記憶部と、前記プリント画像データの入力と前記特有情報の出力をするプリンタ入出力部とを備えたプリンタと、
被写体像を撮影する撮像部と、前記撮像部により撮影された撮像画像データを記憶する画像データ記憶部と、接続するプリンタの前記特有情報を記憶しておくプリンタ特有情報記憶部と、前記プリント画像データのプリンタへの出力と前記プリンタ特有情報の入力をするカメラ入出力部と、前記特有情報に基づいて前記撮像画像データを処理する処理手段と、前記プリンタが接続されていたならば前記撮影画像データを前記処理手段により処理して前記カメラ入出力部を通して前記プリンタに前記プリント画像データとして出力するとともに前記画像データ記憶部には前記撮像画像データは記憶しないよう制御する制御手段とを備えたデジタルカメラとから成るデジタルカメラシステム。
【請求項２】
前記デジタルカメラは更に、前記撮像画像データを前記画像データ記憶部へ記録するよう指示する指示手段を備え、
前記制御手段は、前記指示手段によって前記撮像画像データの記録が指示されたならば前記プリント画像データを前記プリンタへ出力するとともに前記撮像画像データを前記画像データ記憶手段に記憶することを特徴とする請求項１に記載のデジタルカメラシステム。
【請求項３】
プリント画像データをプリントするプリント部と、
前記プリント部からプリント画像を出力するよう設定する設定手段と、
前記プリント部の特有情報を記憶する特有情報記憶部と、
被写体像を撮影する撮像部と、
前記撮像部により撮影された撮像画像データを記憶する画像データ記憶部と、
前記特有情報に基づいて前記撮像画像データを処理する処理手段と、
前記設定手段がプリント画像を出力するよう設定されたならば、前記撮像部で撮影した前記撮像画像データを前記処理手段により処理して前記プリント部に前記プリント画像データとして出力するとともに前記画像データ記憶部には前記撮像画像データは記憶しないよう制御する制御手段とを備えたデジタルカメラ。
【請求項４】
前記設定手段は更に、前記撮像画像データを前記画像データ記憶部へ記憶するよう指示する指示手段を備え、
前記制御手段は、前記指示手段によって前記撮像画像データの記憶が指示されたならば前記制御手段は前記プリント画像データを前記プリント部へ出力するとともに前記撮像画像データを前記画像データ記憶手段に記憶することを特徴とする請求項３に記載のデジタルカメラ。
【請求項５】
前記デジタルカメラは更に、前記画像データ記憶手段の容量が一杯になったならば古い画像データから重ね書きすることを特徴とする請求項２または４に記載のデジタルカメラおよびデジタルカメラシステム。
【請求項６】
前記特有情報とは前記プリント画像を出力する際の出力画像のサイズ、表示色数、解像度、カラーマッチング情報、プリンタの最大解像度情報、被写体撮影方向、撮影画面内の被写体の大きさ、被写体撮影範囲の少なくとも一つであることを特徴とする請求項１ないし５のいずれかに記載のデジタルカメラシステム。
【発明の詳細な説明】
【０００１】
【発明の属する技術分野】
本発明は、デジタルカメラにプリンタを接続した際のデジタルカメラ内での画像データ処理に関する。
【０００２】
【従来の技術】
従来からデジタルカメラで撮影した画像をパーソナルコンピュータを介さず直接プリンタでプリント画像を出力するシステムが知られている。さらに、一般家庭での個人用途での使用形態に限らずデパートや商店街等の一角にこの様なシステムを設置し、誰でも自由に安価に家族や友人との記念撮影をすることの出来る業務用途でのシステムも広く普及してきている。
【０００３】
【発明が解決しようとする課題】
上述したようなデジタルカメラシステムにおいては必ずしも撮影したもとの画像データを記憶しておく必要のない場合もある。例えば沢山の撮影画像を取り敢えずプリントしたい場合や前述したような不特定多数のユーザにプリント画像を提供するような場合にはわざわざ撮影画像を記憶しておく必要はない。
【０００４】
本発明においてはこの様に、デジタルカメラにプリンタが接続されたときには撮影画像を記憶しないかあるいは記憶するかどうかをユーザに選択させることによりメモリカードに無駄な画像データを記憶することを防止するデジタルカメラシステムを提供することを目的とする。
【０００５】
【問題点を解決する為の手段】
上記問題点の解決のために、請求項１の発明は、プリント画像データをプリントするプリント部と、前記プリント部の特有情報を記憶する特有情報記憶部と、前記プリント画像データの入力と前記特有情報の出力をするプリンタ入出力部とを備えたプリンタと、
被写体像を撮影する撮像部と、前記撮像部により撮影された撮像画像データを記憶する画像データ記憶部と、接続するプリンタの前記特有情報を記憶しておくプリンタ特有情報記憶部と、前記プリント画像データのプリンタへの出力と前記プリンタ特有情報の入力をするカメラ入出力部と、前記特有情報に基づいて前記撮像画像データを処理する処理手段と、前記プリンタが接続されていたならば前記撮影画像データを前記処理手段により処理して前記カメラ入出力部を通して前記プリンタに前記プリント画像データとして出力するとともに前記画像データ記憶部には前記撮像画像データは記憶しないよう制御する制御手段とを備えたことを特徴としている。即ち単体でデジタルカメラを使用する際には通常通りメモリカード等に撮影画像を記録するが、プリンタが接続されている場合には撮影したもとの画像データはメモリカードには記憶しないようにして無駄な画像データの保存はしないようにしている。
【０００６】
請求項２の発明は、前記デジタルカメラは更に、前記撮像画像データを前記画像データ記憶部へ記録するよう指示する指示手段を備え、前記制御手段は、前記指示手段によって前記撮像画像データの記録が指示されたならば前記プリント画像データを前記プリンタへ出力するとともに前記撮像画像データを前記画像データ記憶手段に記憶することを特徴としていて、ユーザが撮影画像も記録しておきたいと判断した場合のみもとの画像をメモリカードに記憶することにしている。
【０００７】
請求項３の発明は、プリント画像データをプリントするプリント部と、前記プリント部からプリント画像を出力するよう設定する設定手段と、前記プリント部の特有情報を記憶する特有情報記憶部と、被写体像を撮影する撮像部と、前記撮像部により撮影された撮像画像データを記憶する画像データ記憶部と、前記特有情報に基づいて前記撮像画像データを処理する処理手段と、前記設定手段がプリント画像を出力するよう設定されたならば、前記撮像部で撮影した前記撮像画像データを前記処理手段により処理して前記プリント部に前記プリント画像データとして出力するとともに前記画像データ記憶部には前記撮像画像データは記憶しないよう制御することを特徴としている。即ちプリンタ一体型デジタルカメラにおいてプリント部からプリント出力するという設定になっていた場合には撮影したもとの画像データはメモリカードには記録しないのでメモリカードの容量を無駄に消費しない。
【０００８】
請求項４の発明は、前記設定手段は更に、前記撮像画像データを前記画像データ記憶部へ記憶するよう指示する指示手段を備え、前記制御手段は、前記指示手段によって前記撮像画像データの記憶が指示されたならば前記制御手段は前記プリント画像データを前記プリント部へ出力するとともに前記撮像画像データを前記画像データ記憶手段に記憶することを特徴としているので、ユーザが撮影画像のもとのデータも記録しておきたいと思った場合にはメモリカードに記録することが出来る。
【０００９】
請求項５の発明は、前記デジタルカメラは更に、前記画像データ記憶手段の容量が一杯になったならば古い画像データから重ね書きすることを特徴としているので、メモリカードには常に最新の所定枚数の画像データが記録されることになる。
【００１０】
請求項６の発明は、前記特有情報とは前記プリント画像を出力する際の出力画像のサイズ、表示色数、解像度、カラーマッチング情報、プリンタの最大解像度情報、被写体撮影方向、撮影画面内の被写体の大きさ、被写体撮影範囲の少なくとも一つであることを特徴としていて、撮影画像データをプリント部の特性に応じた画像に加工処理して出力している。
【００１１】
【発明の実施の形態】
以下、図面を参照して本発明の実施の形態を説明する。
図１は、本発明の第１の実施形態におけるデジタルカメラシステムのブロック図である。
【００１２】
デジタルカメラ１は通常の記録再生機能として以下の機能を備えている。即ち被写体を撮影する撮像部１０１、撮影画像をデジタル化し記録再生処理をする記録再生処理部１０２、この記録再生処理部１０２ではガンマ補正、ホワイトバランス調整、圧縮・伸長等通常の記録再生に必要な処理を行う。この信号を処理する途中等で画像データを一時的に保持しておくバッファ１０３、フラッシュメモリ等で構成されたメモリカード１０４、カード装着部１０５、撮影条件の設定、再生画像の選択などやメニュー表示に従って種々の設定をする操作釦１０６、撮影画像や再生画像を表示する表示手段（ＬＣＤモニタ）１０７、これらの動作を制御するＣＰＵ１０８を備えている。ここまで説明した各ブロックは通常のデジタルカメラを構成するのに必要な機能の一部であって、そのほかにもデジタルカメラとして必要な構成要素はあるが、本発明の説明に不要なブロックは省略している。
【００１３】
更に本発明を実現するのに必要なブロックを説明する。デジタルカメラ１には携帯電話やゲーム機等の周辺機器２とのデータのやり取りをするインタフェース部１０９、周辺機器２で動作させるアプリケーションプログラムに関連した特有情報を記憶する特有情報記憶部１１０、前記特有情報に基づいて所定の処理を行う処理手段１１１が備わっている。これらインタフェース部１０９〜処理手段１１１もＣＰＵ１０６によって制御される。
【００１４】
デジタルカメラに接続されデータの授受を行う周辺機器２はインタフェース部２０１、ゲームソフト等の各種アプリケーションソフトプログラムを記憶しておくアプリケーションプログラム記憶部２０２、アプリケーションプログラムに関連した特有情報を記憶しておく特有情報記憶部２０３、アプリケーションプログラムを実行させるプログラム実行手段２０４、アプリケーションプログラムで使用するデジタルカメラ１から入力した画像データを記憶しておく記憶部２０５を備えている。ここで、特有情報とは前述したアプリケーションプログラムで使用するキャラクタのサイズ、表示色数、解像度、撮影方向や撮影画面内の被写体の大きさや被写体撮影範囲等の情報をデジタルカメラに伝えるとともにこれらの情報に基づいて画像データを加工処理させるためのアプレットプログラムである。アプリケーションプログラムとは例えば携帯電話やテレビ電話での待ち受け画面やゲーム機、パーソナルコンピュータで使用するゲームソフト等を指す。この周辺機器２においても本発明に関連のない機能や操作部材については省略している。
【００１５】
図２にデジタルカメラ１とそれに接続される周辺機器の代表的なものを示す。図２においてカード装着部１０５、操作釦１０６、ＬＣＤモニタ１０７、インタフェース部１０９等で構成されているデジタルカメラ１は接続ケーブル２０を介して携帯電話２１、パーソナルコンピュータ２２、ゲーム機２３、テレビ電話２４等と接続される。デジタルカメラからはそれぞれの周辺機器で動作しているアプリケーションプログラム上で使用される画像データが転送される。　ここで、図２ではＵＳＢ（Ｕｎｉｖｅｒｓａｌ　Ｓｅｒｉａｌ　Ｂｕｓ）等を用いた接続ケーブル２０を介した接続の例が示されているがＩｒＤＡ（Ｉｎｆｒａｒｅｄ　Ｄａｔａ　Ａｓｓｏｃｉａｔｉｏｎ）等の無線接続する方法であっても良い。
【００１６】
図３は図１のブロック図で表されるデジタルカメラの動作を示すフローチャートである。図３においてまずステップＳ１０１でデジタルカメラ１は周辺機器２が接続されたことを検出する。ステップＳ１０２ではアプリケーションプログラムが周辺機器２で起動したことを検出し、ステップＳ１０３においてそのプログラムに関連したアプレットプログラムを周辺機器２から読み込む。なお、周辺機器２でアプリケーションが起動した後にデジタルカメラ１と周辺機器２とが接続されたならばその接続時にデジタルカメラ１は動作中のアプリケーションプログラムに関連したアプレットプログラムを読み込む。
【００１７】
ステップＳ１０４では周辺機器２に出力する画像ファイルを選択する。ここではアプレットプログラムに適合した撮影方向、上半身或いは全身像等の画像データをメモリカード１０４から選択したり撮影部１０１で被写体をアプレットプログラムの指示に基づいて撮影する。この選択した画像ファイルに対してステップＳ１０５でアプレットプログラムに基づいて所定の画素数、解像度、表示色数となるよう処理をした後にステップＳ１０６でインタフェース部１０７を介して処理済み画像データとして周辺機器２に出力する。
【００１８】
図４では図２に更に周辺機器２としてプリンタが接続された場合について説明する。周辺機器２には画像データをプリントするプリント部２０５が備わっている。ここでは前述したアプリケーションプログラムとしてはプリンタを動作させプリント出力をさせるプログラムを指す。また、特有情報記憶部にはこのプリント部のプリント特性を補正するカラーマッチング情報やプリンタの最大解像度情報も含まれる。図４の動作を図５のフローチャートに基づいて説明する。まず図５のステップＳ２０１においてデジタルカメラ１に周辺機器２としてプリンタが接続されているかどうか判定する。もし接続されていなかったならばステップＳ２０２において撮影画像に対して通常の記録処理をする。すなわち、撮像部１０１で被写体を撮影したのち通常のガンマ調整やホワイトバランス等の処理を施した後必要に応じて圧縮してステップＳ２０３でメモりカード１０４に記録する。
【００１９】
ステップＳ２０１でプリンタが接続されていたならばステップＳ２０４でプリンタから特有情報であるアプレットプログラムを読み込む。ステップＳ２０５では読み込んだアプレットプログラムに基づいて所定の方向や大きさで被写体を撮影する。ステップＳ２０６では撮影画像をメモりカードに記録するかどうか判定する。もし操作釦１０６で撮影画像を記録しないように設定していたならばステップＳ２０７で先程読み込んだアプレットプログラムに基づいてカラーマッチング処理等を施してステップＳ２０８でプリンタに処理済み画像を出力する。もしステップＳ２０６でメモりカードに記録するよう設定してあったとしたならばステップＳ２０７で処理をすると共に元の通常の記録処理を施してある撮影画像をステップＳ２０３でメモりカードに記録する。その際メモりカードが一杯になったならば古い画像データから順に上書きする。
【００２０】
撮影画像を残しておくという点ではステップＳ２０６でメモりカードへの記録設定をしておいた方が望ましいが、例えばカメラとプリンタを街頭に設置して不特定多数の被写体を大量に撮影しプリントするような業務用途等においてはいちいち撮影画像を残しておく必要はない。そのような場合にはメモリカードに記録しないよう設定しておく方が適している。
【００２１】
図６には図４で説明したデジタルカメラとプリンタが一体となって構成された場合を示している。この場合には図１や図４における特有情報記憶部１１０、２０３はいずれか一方のみが備わっていれば良い。またインタフェース部１０９、２０１は適宜の内部通信手段があればよい。これらのことは、プリンタ一体型デジタルカメラに限らず、画像取り込み部を備えたゲーム機やパーソナルコンピュータ等、デジタルカメラと周辺機器とが一体化されている構成の場合であっても同様である。
【００２２】
図７は本発明による第２の実施例のブロック図である。図中、デジタルカメラ３は図１と同様に撮像部１０１、記録・再生部１０２、バッファ１０３、操作釦１０６、表示手段１０７、ＣＰＵ１０８、インタフェース部１０９を備えている。更に、デジタルカメラ３に接続可能な複数種類の周辺機器４に対応した特有情報を含むアプレットプログラムが特有情報記憶部３０１に記憶されている。ここで周辺機器とはプリンタ、モニタ、携帯電話等を指し、更には同一種類の機器の中でも例えば機種が異なっているような場合もこれに相当する。
【００２３】
特有情報とはこれら各周辺機器で表示したりプリントする際の画素数、最大の解像度、表示色数、カラーマッチング情報、プリンタの最大解像度情報、モニタのガンマ特性等の情報をデジタルカメラ３に伝えるとともにこれらの情報に基づいて画像データを加工処理させるためのアプレットプログラムである。操作釦１０６は画像データ記憶部３０４の中から画像を選択したり特有情報記憶部３０１の中から必要なアプレットプログラムを選択する。なおアプレットプログラムは、後述する周辺機器識別手段３０５の識別結果に基づいて特有情報記録部３０１から特有情報選択手段３０２によっても選択される。
【００２４】
処理手段３０３は選択されたアプレットプログラムに基づいてこれら選択された画像に対して所定の処理を施す。処理後の画像データは画像データ記憶部３０４に記憶する。この時管理手段３１０により選択画像と処理後の画像は関連付けて管理される。周辺機器識別手段３０５はデジタルカメラ３に周辺機器が接続された時にその周辺機器のメーカー名、製品名、製品番号等を識別するとともにその周辺機器に対応したアプレットプログラム名を識別する。この識別結果に基づいて特有情報選択手段３０２は同一のアプレットプログラムを特有情報記憶部３０１から選択する。
【００２５】
もし、同一のアプレットプログラムが記憶されていなかった場合や古いアプレットプログラムが記憶されていた場合には周辺機器４から新しいアプレットプログラムを入手して特有情報記憶部３０１に記憶する。複数の周辺機器が同時にデジタルカメラ３に接続された場合にはこの周辺機器識別手段３０５の識別結果に基づいて各周辺機器毎に最適の処理済み画像データを出力する。
【００２６】
特有情報記憶部３０１と画像データ記憶部３０４とは共通のデータ記憶エリア３０６内にあって、特有情報と画像データはＣＰＵ１０８によってそれぞれの記録エリアが指定される。この共通のデータ記憶エリアとは例えばメモリカード内の画像や音声データの記録エリアを指す。また、この画像データ記憶部３０４には記録・再生手段１０２により通常の記録処理を行った画像データと処理手段３０３によって特有情報に応じて処理された画像データの両方が記憶される。この共通の記録エリアの残容量は表示手段であるＬＣＤモニタ１０７に表示される。
【００２７】
周辺機器識別手段３０５によって識別されたアプレットプログラム名と特有情報選択手段３０２によって選択されたアプレットプログラムは比較手段３０７によって両社が一致しているかどうか比較される。一致していない場合には音声警告手段３０８で警告する。消去手段３０９はデータ記憶エリア３０６内の不要データを消去する。周辺機器４はインタフェース部４０１、この周辺機器に関連した特有情報を含むアプレットプログラムを記憶しておく特有情報記憶部４０２を備えている。
【００２８】
図８〜図１４は図７に示したデジタルカメラの動作の一例を示したフローチャートおよびモニタ表示の一例である。まず図８のステップＳ４０１で操作釦１０６を操作してメモリカード内の特有情報記憶部３０１に記憶されているアプレットプログラム名をＬＣＤモニタ１０７に表示し、そこから希望するアプレットプログラムを選択する。ステップＳ４０２でも同様にして今度はメモリカード内の画像データ記憶部３０４から画像を読み出しＬＣＤモニタ１０７表示してデジタルカメラ３から出力したい画像を選択する。その後ステップＳ４０３では選択したアプレットプログラムを基に出力機器に適合するよう所定の処理を施す。
【００２９】
ステップ４０４ではＣＰＵ１０８の指示により管理手段３１０で前述した選択画像と処理後の画像の関連づけを行い、ステップＳ４０５で処理済みのデータをバッファ１０３あるいはメモリカード内の画像データ記憶部３０４に記憶する。もし複数種類の周辺機器に同時に出力したい場合には、複数の周辺機器に対応したアプレットプログラムを複数選択しこれらのアプレットプログラムによって処理された画像を画像データ記憶部３０４に記憶すると共に選択画像と複数の周辺機器に対応した処理済み画像データを関連付けておく。
【００３０】
この関連付けについて図９を基に説明する。図９はＬＣＤモニタ１０７における画像再生の一例で、ここでは画面の四分の一の大きさで画像内容とその画像ファイル名が同時に表示されている。ここから操作釦１０６を操作して画像を選択すると画像データ記憶部に記憶されている通常記憶用に処理された画像データに対して、図８ステップＳ４０１で予め選択しておいた特有情報に応じた処理が施される。この様にしてＬＣＤモニタ１０７に表示された画像或いは画像ファイル名と処理済み画像との間を管理手段３１０は関連付ける。表示されている画像あるいは画像ファイル名と画像データ部の処理前の画像ももちろん関連づけられている。もしも複数の出力機器に対応した処理済み画像がある場合には更に処理済み画像間の関連付けも行う。こうすることにより例えば、デジタルカメラにプリンタと外部モニタとを同時に接続し、この外部モニタに表示されている画像あるいは画像ファイル名を選択した場合にもプリンタからプリンタに関連付けて管理されている処理済み画像データに基づいたプリントを出力することが出来る。
【００３１】
このようにして関連付けられた処理済み画像データはＣＰＵ１０８によりバッファ１０３あるいはメモリカード内の画像データ記憶部３０４に記憶される。ステップＳ４０６では処理したい画像データの全てについて終了したかどうか判別し、終了していなかったらステップＳ４０１に戻りこれまでの処理を繰り返す。特有情報が複数選択された場合も同様にこの処理を繰り返す。この様にしてデジタルカメラ３内には複数の特有情報に対応して処理された複数の画像データが所定の関連付けをされた後に記憶される。この関連付けするタイミングはここで述べた例に限らず、任意の時点で処理済み画像に対して関連付けしたり逆に関連を解除したりすることは管理手段３１０で容易に行うことが出来る。
【００３２】
図１０はデジタルカメラ３で予め図８の手順に基づいて処理された複数の画像データがバッファ１０３あるいはメモリカード内の画像データ記憶部３０４に記憶された後に周辺機器が接続された場合のフローを示している。図１０において、デジタルカメラの電源を入れるとステップＳ５０１でメモリカード内の残コマ数がＬＣＤモニタ１０７に表示される。図１１に残コマ表示の一例を示す。図１１において１００コマという数字はメモリカード内のアプレットプログラムあるいは処理済み画像データが記憶されているエリアを除いた残りの記録可能コマ数で、（　）内の１０５という数字はデータ記憶エリアに現在記憶されているアプレットプログラムあるいは処理済み画像データを全て消去した場合の残りの記憶可能コマ数を表している。
【００３３】
この残コマ表示のステップＳ５０１の詳細について図１２と図１３を使用してまず始めに説明する。図１２においてステップＳ５０１１で残コマ数が少なくなって例えば１０コマとなったならばステップＳ５０１２に進み、メモリカード内にアプレットプログラムあるいは処理済み画像が記録されているかどうかＬＣＤモニタ１０７に表示する。もしアプレットプログラムあるいは処理済み画像が何も記録されていなかった場合には通常画像のみが記録されているので次のステップＳ５０１３でＬＣＤ１０７に残コマが少ないという警告表示（不図示）をして終了する。
【００３４】
もしいくつかのアプレットプログラムあるいは処理済み画像が記憶されていたならば次のステップＳ５０１４でこれらを消去しても良いかどうかを図１３に示すごとくＬＣＤモニタ１０７に表示する。消去不可の場合はステップＳ５０１３に進み先程と同様に残コマが少ないという警告表示をして終了する。消去しても良いデータがある場合にはステップＳ５０１５に進み操作釦１０６を使って消去データを選択する。図１３の表示例では特有情報記憶部３０１には現在４種類のアプレットプログラムが記憶されていて、画像データ記憶部にはこれら４種類のアプレットプログラムの中で２種類のアプレットプログラムを使った処理済み画像が記憶されていることを示している。さらにここでは図１３に示すように３種類のアプレットプログラムを消去する為チェックしている。
【００３５】
このあとＹＥＳを選択するとステップＳ５０１６でこれら選択されたデータが消去されステップＳ５０１１に戻る。ステップＳ５０１１で残容量が充分であるときにはステップＳ５０１７で図１１に示した表示をする。また、図１３ではアプレットと処理済み画像データを一体として消去するよう扱ったがアプレットと処理済み画像データを別々に選択できるようにしても良い。更に処理済み画像データも１画面ずつ選択できるようにしても良い。
【００３６】
この様にして残コマ表示と残コマ処理が終了すると次に図１０のステップＳ５０２で周辺機器識別手段３０５により接続された周辺機器の種類を識別する。ステップＳ５０３では特有情報選択手段３０２によって周辺機器識別手段３０５の識別結果に基づいて所定のアプレットプログラムが選択されＬＣＤモニタ１０７にこれを表示する。
【００３７】
図１４にモニタ表示の一例を示す。図１４の例では、周辺機器識別手段３０５はデジタルカメラ３に接続された機器をＡ社製プリンタで、型名はＸＹＺ、そしてこのプリンタに記憶されているアプレットのバージョンがＶｅｒ．３．０であると識別したことを示している。一方、特有情報選択手段３０２はこの識別された機器に最も近いアプレットプログラムとして特有情報記憶部３０１からＡ社プリンタ、型名ＸＹＺ、Ｖｅｒ．２．０というアプレットプログラムを選択したことを示している。この場合、Ａ社製のプリンタで型名までは一致しているがバージョンが古いものが記憶されている。この様な場合にブザー等の音声警告手段３０８で注意を促すと効果的である。
【００３８】
次にステップＳ５０４でこの選択が正しいかどうかユーザが判定する。ここでもしバージョンが違っていても問題ないと判断しＹＥＳを選択するとステップＳ５０５で処理済みの画像データを選択し、ステップＳ５０６でインタフェース１０９から出力する。もし処理済み画像がなかったならば図８に示したステップで処理済み画像を作成する。
【００３９】
図１４でＮＯを選択するとステップＳ５０７に進み、そこでは図１５に示すように他の処理アプレットを選択させるための表示がされる。図１５の表示例においては３通りの選択枝が示されている。第１番目は接続周辺機器から新たにアプレットプログラムを読み込む方法、２番目はデジタルカメラ３に予め記憶されている所定のアプレットプログラムで処理する方法、３番目はデジタルカメラ３に現在記憶されている他のアプレットプログラムから選択して処理する方法である。これらから適宜選択して実行しステップＳ５０４に戻る。この場合においても処理済み画像がなかったならば図８に説明した手順で処理済み画像を作成する。
【００４０】
ここまではＬＣＤモニタ１０７の表示結果に基づいてユーザが適宜の方法で処理済みの画像データを出力する方法について説明してきたが、この表示をもとにユーザが選択することと同様のことを比較手段３０７に自動的に行わせるように設定しても良い。アプレットプログラムを選択して以降の手順は前述したユーザが表示を見ながら処置を決定する場合と同様であるので説明は省略する。その際、比較結果が一致していなかった場合の処置については操作釦１０６を使用して予め設定しておく。
【００４１】
図１６は本発明による第３の実施例の場合のデジタルカメラと周辺機器との接続を示す概略図である。図中、デジタルカメラ３は図７に示すブロック図と同様であるが、前述した画像データ記憶部３０４には画像データと音声データが記憶されている。
【００４２】
図１６においてデジタルカメラ３はＬＣＤモニタ１０７、音声警告手段であるブザー３０８、シャッタ釦１１１、各種選択をする操作釦１０６、インタフェース部１０９等で構成されている。インタフェース部１０９からは接続ケーブル２０を介して音声と画像データを再生するテレビモニタ２５、音声専用再生機２６、プリンタ２７に接続される。
【００４３】
ここで、接続方法は前述したように有線・無線方式の何れであっても良い。図１７のフローチャートを基に本実施例の動作を説明する。まずデジタルカメラ３と周辺機器とが接続されるとステップＳ６０１において周辺機器識別手段３０５によって周辺機器が識別され、それに基づいてＣＰＵ１０６が出力形態を３通りに選択する。出力形態１とはステップＳ６０２に示すように画像・音声両方選択する場合であってテレビモニタ２５が接続された場合に相当する。出力形態２とはステップＳ６０２に示す画像ファイルを選択する場合でプリンタ２７が接続された場合である。出力形態３とはステップＳ６０４に示す音声ファイルを選択する場合であってラジオ等の音声専用再生機２６が接続された場合である。
【００４４】
ステップＳ６０５ではこれらのデータ選択後出力が終了するまで図１８に示すように出力データの形態をＬＣＤモニタ１０７に表示する。図１８では画像と音声の両方が選択されたあるいは出力されている場合を示している。バッテリの消耗を軽減するために所定時間後にＬＣＤモニタ１０７をオフするようにしても良い。この実施例における周辺機器への出力データもこれまで説明してきたのと同様、アプレットプログラムに対応した処理を受けている。
【００４５】
【発明の効果】
以上説明したように、本発明では、大量の撮影画像をプリンタ部の特性に応じて加工・処理しパーソナルコンピュータを介さずに直接プリントするとともに、もとの撮影画像データはメモリカードに記録しないようにした、あるいはユーザの設定で記録できるようにしたのでメモリカードの無駄な容量の消費を押さえることが出来る。
【図面の簡単な説明】
【図１】本発明によるデジタルカメラシステムのブロック図である。
【図２】デジタルカメラに接続される周辺機器の説明図である。
【図３】本発明によるデジタルカメラの動作を説明するフローチャートである。
【図４】周辺機器がプリンタの場合のデジタルカメラシステムのブロック図である。
【図５】図４のデジタルカメラの動作を説明するフローチャートである。
【図６】プリント部一体型デジタルカメラのブロック図である。
【図７】本発明によるデジタルカメラシステムの第２の実施例を示すブロック図である。
【図８】図７のデジタルカメラの動作を説明するフローチャートである。
【図９】モニタ上での画像再生の一例を示す図である。
【図１０】図７のデジタルカメラの動作を説明するフローチャートである。
【図１１】モニタ上での残コマ表示の一例を示す図である。
【図１２】図７のデジタルカメラの動作を説明するフローチャートである。
【図１３】特有情報を消去する際のモニタ表示の一例を示す図である。
【図１４】接続周辺機器を判定する際のモニタ表示の一例を示す図である。
【図１５】特有情報を選択する際のモニタ表示の一例を示す図である。
【図１６】第３の実施例のデジタルカメラに接続される周辺機器の説明図である。
【図１７】図１６のデジタルカメラの動作を説明するフローチャートである。
【図１８】図１６のデジタルカメラの動作時のモニタ表示の一例を示す図である。
【符号の説明】
１　　　デジタルカメラ
２　　　周辺機器
３　　　デジタルカメラ
４　　　周辺機器
２０　　接続ケーブル
２１　　携帯電話
２２　　パーソナルコンピュータ
２３　　ゲーム機器
２４　　テレビ電話
２５　　画像・音声再生機
２６　　音声再生機
２７　　プリンタ
１０１　撮像部
１０２　記録・再生処理部
１０３　バッファ
１０４　メモリカード
１０５　カード装着部
１０６　操作釦
１０７　ＬＣＤモニタ
１０８　ＣＰＵ
１０９　インタフェース
１１０　特有情報記憶部
１１１　処理手段
１１２　プリント部
２０１　インタフェース
２０２　アプリケーションプログラム記憶部
２０３　特有情報記憶部
２０４　プログラム実行手段
２０５　記憶部
２０６　プリント部
３０１　特有情報記憶部
３０２　特有情報選択手段
３０３　処理手段
３０４　画像データ記憶部
３０５　周辺機器識別手段
３０６　データ記憶エリア
３０７　比較手段
３０８　音声警告手段
３０９　消去手段
３１０　管理手段
４０１　インタフェース
４０２　特有情報記憶手段
【図１】
2004032563.tif 000003
【図２】
2004032563.tif 000004
【図３】
2004032563.tif 000005
【図４】
2004032563.tif 000006
【図５】
2004032563.tif 000007
【図６】
2004032563.tif 000008
【図７】
2004032563.tif 000009
【図８】
2004032563.tif 000010
【図９】
2004032563.tif 000011
【図１０】
2004032563.tif 000012
【図１１】
2004032563.tif 000013
【図１２】
2004032563.tif 000014
【図１３】
2004032563.tif 000015
【図１４】
2004032563.tif 000016
【図１５】
2004032563.tif 000017
【図１６】
2004032563.tif 000018
【図１７】
2004032563.tif 000019
【図１８】
2004032563.tif 000020